(57)【要約】【課題】  変倍率の設定や記録シートのサイズ設定等、所望する処理（条件）を原稿に対して行わせるために必要とされる、操作部を用いての条件入力操作を削減して、容易な操作にて所望の処理を行わせることのできる画像読取装置及び読取機能付き画像形成装置を提供する。【解決手段】  原稿台１１０には各コーナ部に対応して第１〜第４の載置基準Ｍ１〜Ｍ４が設けられ、載置基準Ｍ毎に異なる倍率の変倍処理が設定されている。ユーザは、所望の倍率が設定されている載置基準Ｍに原稿を載置することで、操作パネル３０を用いて倍率を設定することなしに、所望の変倍処理が施されたコピーを得ることができる。【選択図】  図１
2005277590.tif 000002
【特許請求の範囲】
【請求項１】
原稿の画像を読み取る読取手段と、該読取手段にて読み取られた画像に対して種々の処理を施す処理手段とを備えた画像読取装置において、
上記読取手段にて読み取らせるべき原稿を載置する載置位置が複数箇所設けられると共に、載置位置毎に上記処理手段が画像に施す処理が設定されており、
上記読取手段にて読み取られた画像に対して、載置位置に応じた処理が施されるように上記処理手段を制御する制御手段を備えたことを特徴とする画像読取装置。
【請求項２】
原稿台に原稿を載置する際の基準となる載置基準を複数設けることで原稿の載置位置が複数箇所設けられており、
上記制御手段が、対応する載置基準に応じた処理が施されるように上記処理手段を制御することを特徴とする請求項１に記載の画像読取装置。
【請求項３】
予め定められている複数の処理の中から選択して上記載置位置毎の処理として設定することを可能にする処理可変手段を備えたことを特徴とする請求項１に記載の画像読取装置。
【請求項４】
複数ある上記載置位置の何れに原稿が載置されたかを検出する第１の検出手段を備え、
上記制御手段は、該第１の検出手段による検出結果に基づいて原稿が載置された載置位置を判別することを特徴とする請求項１に記載の画像読取装置。
【請求項５】
上記載置位置毎に異なる変倍率が設定されており、
上記制御手段が、対応する載置位置に応じた変倍率で変倍処理が施されるように上記処理手段を制御することを特徴とする請求項１に記載の画像読取装置。
【請求項６】
上記載置基準毎に異なる変倍率が設定されており、
上記制御手段が、対応する載置基準に応じた変倍率で変倍処理が施されるように上記処理手段を制御することを特徴とする請求項２に記載の画像読取装置。
【請求項７】
上記読取手段は、原稿台に載置された原稿の画像を、副走査方向に移動しながら読み取るようになっており、
該読取手段の副走査方向上流側にある載置位置に対して等倍あるいは拡大の変倍率が設定されていることを特徴とする請求項６に記載の画像読取装置。
【請求項８】
上記読取手段は、原稿台に載置された原稿の画像を、副走査方向に移動しながら読み取るようになっており、
該読取手段の副走査方向下流側にある載置位置に対して縮小の変倍率が設定されていることを特徴とする請求項６に記載の画像読取装置。
【請求項９】
載置された原稿のサイズを検出する第２の検出手段をさらに備え、
上記制御手段は、該第２の検出手段による検出結果に基づいて、対応する載置位置に応じた原稿に対する処理が原稿のサイズを反映させて行われるように上記処理手段を制御することを特徴とする請求項４に記載の画像読取装置
【請求項１０】
上記載置位置毎に設定された処理が、読み取り画像の画像データの出力サイズに関わる処理であり、
上記制御手段が、対応する載置位置に応じた原稿に対する処理を施した後の画像データの出力サイズが、該処理と原稿のサイズとで決定される大きさとなるように上記処理手段を制御することを特徴とする請求項９に記載の画像読取装置。
【請求項１１】
上記制御手段による上記載置位置に応じた処理が施されるように上記処理手段を制御する制御動作を無効にする設定解除手段を備えていることを特徴とる請求項１に記載の画像読取装置。
【請求項１２】
上記請求項１〜１１の何れかに記載の画像読取装置と、
該画像読取装置より出力される画像データに基づいて画像をシート上に出力する画像形成手段とを備えたことを特徴とする読取機能付き画像形成装置。
【請求項１３】
上記請求項１〜１１の何れかに記載の画像読取装置と、
該画像読取装置より出力される画像データに基づいて画像をシート上に出力する画像形成手段とを備え、
載置位置毎に上記画像形成手段が画像に施す処理も設定可能であり、
上記制御手段は、対応する載置位置に応じた処理が施されるように上記画像形成手段を制御することを特徴とする読取機能付き画像形成装置。
【請求項１４】
上記載置位置毎に異なるサイズのシートへの画像出力が設定されており、
上記制御手段が、対応する載置位置に応じたサイズのシートに画像が形成されるように、画像形成手段を制御することを特徴とする請求項１３に記載の読取機能付き画像形成装置。
【請求項１５】
上記請求項１０に記載の画像読取装置と、
該画像読取装置より出力される画像データに基づいて画像をシート上に出力する画像形成手段とを備え、
上記制御手段が、画像を出力するシートとして、処理後の画像データのサイズに適したサイズのシートが選択されるように、上記画像形成手段を制御することを特徴とする読取機能付き画像形成装置。
【発明の詳細な説明】
【技術分野】
【０００１】
本発明は、原稿の画像を読み取る画像読取装置、及び、画像読取装置を備えた読取機能付き画像形成装置に関する。
【背景技術】
【０００２】
従来から、複写機等の画像読み取り機能と画像形成機能とを具備した装置を用いることで、原稿の複製物(コピー)を容易に得ることができる。複写機は、いわばスキャナに代表される画像読取装置とプリンタに代表される画像形成装置とが一体的に具備された装置である。また、各々独立して機能する装置として構成された画像読取装置と、画像形成装置とを組み合せて用いても、上記複写機と同様のことが可能である。画像読取装置は、原稿台の天面を読み取って画像データを出力する読み取り光学系を有しており、該光学系にて原稿台の天面を走査することで原稿台上に載置された原稿の画像を読み取って画像データを取得する。画像形成装置は、画像データに基づく画像を記録シート上に出力するものである。
【０００３】
このような画像読取装置においては、ユーザが原稿を原稿台上に載置する際の基準となる基準マーク等を施した基準部材が原稿台に設けられている。ユーザが該基準部材に合わせて原稿を載置することで、誤った位置へと原稿を載置することによる読み取りミスを未然に防止でき、画像読取装置を備えた画像形成装置（以下、読み取り機能付き画像形成装置と称する）においては、読み取りミスに起因するミスコピーを未然に防止できる。
【０００４】
また、画像読取装置には、原稿台上に原稿が載置されているか否かを検出することができる検出手段が備えられている。さらに、画像読取装置によっては、原稿の有無を検知するだけでなく、原稿のサイズまでも検出できるように構成されたものもある。原稿サイズが検出されることで、画像読取装置側で、検出された原稿サイズに基づいて画像読み取り条件を自動的に設定したり、読み取り機能付き画像形成装置であれば、検出された原稿サイズに基づいて画像形成条件を自動的に設定したりすることが可能となり、より効果的に読み取りミスやミスコピーを未然に防止することができる。
【０００５】
一方、このような画像読取装置或いは読み取り機能付き画像形成装置においては、近年、変倍や画像編集等様々な処理を実施できるようになっており、画像を出力する記録シートのサイズはもちろんのこと、材質を切り換えることが可能な装置もある。
【０００６】
しかしながら、このような装置の場合、デフォルト（初期設定）の読取条件や画像形成条件がユーザの所望する条件である場合を除いて、原稿台上に原稿を載置しただけで所望する条件にて画像読み取りや画像形成を行わせることはできない。
【０００７】
デフォルトには、通常、最も使用頻度の高い読取条件或いは画像形成条件が設定されている。例えば変倍処理であれば、等倍のコピーが得られるような条件が設定されており、画像を出力する記録シートであれば、最も使用頻度の高いＡ４サイズ等のシートが自動的に設定されている。デフォルト設定以外の変倍条件や記録シートのサイズ等を所望する場合は、ユーザは操作部等を用いて所望する条件へと設定し直す。
【０００８】
例えば、特許文献１には、検知手段により検知された原稿サイズと、ユーザにより設定された変倍率とに基づいて、自動的に画像保障できる用紙（記録シート）を選択する機能を有する複写機が開示されている。
【０００９】
また、特許文献２には、ユーザにより設定された原稿サイズと用紙サイズとに基づいて変倍率を決定し、これに応じて画像形成を行うことで、目的とした用紙サイズに合わせて変倍した画像を得ることができる画像形成装置が開示されている。
【００１０】
その他、特許文献３には、複写作業が終了した後、任意に設定可能な所定時間が経過しても複写機が使用されない場合は、自動的に複写条件はデフォルトへと復帰させるオートクリア機能を備えた複写機が開示されている。
【特許文献１】特開昭６４−６８７７３号公報（昭和６４年３月１４日公開）
【特許文献２】特開２００２−４４４２６号公報（平成１４年２月８日公開）
【特許文献３】特開昭５９−１２９８６８号公報（昭和５９年７月２６日公開）
【発明の開示】
【発明が解決しようとする課題】
【００１１】
しかしながら、特許文献１〜３の構成を含めて従来の構成では、デフォルトの読取条件や画像形成条件と異なる条件をユーザが所望する場合は、ユーザが操作部を用いて変倍率や用紙サイズ等を入力して設定する必要があり、煩わしさを感じざるを得ない。
【００１２】
特に、特許文献３に開示されているオートクリア機能を具備した装置等においては、ユーザが操作を一時的に中断した後に、続けて先ほどと同じ条件で操作を行いたいと思ってもオートクリアが実行されてデフォルトに戻っていると、再度操作部を用いて条件を入力し直す必要がある。また、この場合、オートクリアが実行されたことに気づかずに操作を行うと、読み取りミスやミスコピーが発生してしまう。その他、オートクリア機能を過信して、オートクリアが実行されるよりも前に、設定されている条件を確認することなく操作を行ってしまい、前に使用したユーザの設定した条件にて読み取りやコピーを行ってしまうといったことも起こり得る。
【００１３】
本発明は、上記課題に鑑みなされたものであり、その目的は、変倍率の設定や記録シートのサイズ設定等、所望する処理（条件）を原稿に対して行わせるために必要とされる、操作部を用いての条件入力操作を削減して、容易な操作にて所望の処理を行わせることのできる画像読取装置及び読取機能付き画像形成装置を提供することにある。
【課題を解決するための手段】
【００１４】
本発明に係る画像読取装置は、上記課題を解決するために、原稿の画像を読み取る読取手段と、該読取手段にて読み取られた画像に対して種々の処理を施す処理手段とを備えた画像読取装置において、上記読取手段にて読み取らせるべき原稿を載置する載置位置が複数箇所設けられると共に、載置位置毎に上記処理手段が画像に施す処理が設定されており、上記読取手段にて読み取られた画像に対して、載置位置に応じた処理が施されるように上記処理手段を制御する制御手段を備えたことを特徴としている。
【００１５】
上記構成によれば、読取手段にて読み取らせるべき原稿を載置する載置位置が複数箇所設けられており、処理手段が画像に対して行う各種処理のうちの所定の処理が、載置位置毎に設定されている。そして、制御手段が、処理手段を制御して、読取手段にて読み取られた画像に対して、該原稿の載置位置に基づいて載置位置に設定されている処理を施させる。
【００１６】
したがって、ユーザは、所望する処理が設定されている載置位置に原稿を載置し、原稿を載置した載置位置を制御手段に判別させるだけで、具体的な処理の設定を一切行うことなく、所望の処理を行わせることが可能となる。
【００１７】
ここで、載置位置に応じて設定される処理手段にて施される各種の処理としては、変倍処理や、原稿の種類（文字，写真，文字／写真）に応じた画像処理、画像濃度（濃い，普通，薄い）に応じた処理、送信先にＦＡＸを送信する処理、ウォータマーク（付加なし，極秘，見本，ロゴ，等）を付加する処理、編集（マルチショット，画像反転，ネガポジ反転）処理等がある。
【００１８】
これにより、変倍率の設定等、所望する処理を原稿に対して行わせるために必要とされる、操作部を用いての条件入力操作を削減して、容易な操作にて所望の処理を行わせることのできる画像読取装置を実現することができる。
【００１９】
本発明に係る画像読取装置は、上記構成加えて、原稿台に原稿を載置する際の基準となる載置基準を複数設けることで原稿の載置位置が複数箇所設けられており、上記制御手段が、対応する載置基準に応じた処理が施されるように上記処理手段を制御する構成とすることもできる。
【００２０】
この構成によれば、原稿台に設けられた複数の載置基準に対して処理が設定されているので、所望する処理が設定されている載置位置を確認し易く、使い勝ってが向上する。
【００２１】
本発明に係る画像読取装置は、上記構成加えて、予め定められている複数の処理の中から選択して上記載置位置毎の処理として設定することを可能にする処理可変手段を備えた構成とすることもできる。
【００２２】
この構成によれば、処理可変手段を用いて載置位置毎に指定する処理を選択設定できるので、ユーザが自身の使い方に適した処理を載置位置で決定される処理として割り当てておくことで、ユーザによる操作パネルを用いての条件入力操作がより一層削減され、使い勝ってがさらに向上する。
【００２３】
本発明に係る画像読取装置は、上記構成加えて、複数ある上記載置位置の何れに原稿が載置されたかを検出する第１の検出手段を備え、上記制御手段は、該第１の検出手段による検出結果に基づいて原稿が載置された載置位置を判別する構成とすることもできる。
【００２４】
この構成によれば、第１の検出手段が複数の載置位置の何れに原稿が載置されたかを検出し、制御手段がその検出結果に基づいて原稿が載置された載置位置を判別し、載置位置に応じた処理を処理手段に行わせるので、原稿を所望する処理が設定されている載置位置に載置するだけで、所望の処理を行わせることができる。したがって、使い勝ってがさらに向上する。
【００２５】
本発明に係る画像読取装置は、上記構成加えて、上記載置位置毎に異なる変倍率が設定されており、上記制御手段が、対応する載置位置に応じた変倍率で変倍処理が施されるように上記処理手段を制御する構成とすることもできる。
【００２６】
この構成によれば、載置位置毎に変倍率が設定されており、制御手段が、対応する載置位置に応じた変倍率で変倍処理が施されるように処理手段を制御するので、ユーザは所望する変倍率が設定されている載置位置に原稿を載置することで、操作パネル等を用いて変倍率を設定することなく、所望の変倍率で処理させることができる。
【００２７】
本発明に係る画像読取装置は、上記構成加えて、上記載置基準毎に異なる変倍率が設定されており、上記制御手段が、対応する載置基準に応じた変倍率で変倍処理が施されるように上記処理手段を制御する構成とすることもできる。
【００２８】
この構成によれば、載置基準毎に変倍率が設定されており、制御手段が、対応する載置基準に応じた変倍率で変倍処理が施されるように処理手段を制御するので、ユーザは所望する変倍率が設定されている載置基準に原稿を載置することで、操作パネル等を用いて変倍率を設定することなく、所望の変倍率で処理させることができる。
【００２９】
本発明に係る画像読取装置は、上記構成加えて、上記読取手段は、原稿台に載置された原稿の画像を、副走査方向に移動しながら読み取るようになっており、該読取手段の副走査方向上流側にある載置位置に対して等倍あるいは拡大の変倍率が設定されている構成とすることもできる。
【００３０】
本発明に係る画像読取装置は、上記構成加えて、上記読取手段は、原稿台に載置された原稿の画像を、副走査方向に移動しながら読み取るようになっており、該読取手段の副走査方向下流側にある載置位置に対して縮小の変倍率が設定されている構成とすることもできる。
【００３１】
変倍処理は光学変倍や電子変倍にて処理されるが、主走査方向および副走査方向の両方向を電子変倍処理以外の処理方法では、副走査方向の移動速度が拡大、等倍に比べ、縮小の方が速い速度で行われる。
【００３２】
したがって、上記構成のように、読取手段の副走査方向への移動速度が遅い、等倍あるいは拡大の変倍率を、読取手段のホームポジションに近い副走査方向上流側にある載置基準に割り当てることで、ホームポジションに遠い副走査方向下流側にある載置基準に割り当てられた場合よりも、原稿の読み取りに要する時間を短くできる。
【００３３】
本発明に係る画像読取装置は、上記構成加えて、載置された原稿のサイズを検出する第２の検出手段をさらに備え、上記制御手段は、該第２の検出手段による検出結果に基づいて、対応する載置位置に応じた原稿に対する処理が原稿のサイズを反映させて行われるように上記処理手段を制御する構成とすることもできる。
【００３４】
第２の検出手段が備えられていない構成では、原稿サイズを処理に反映させたい場合、原稿サイズの入力が必要であった。しかしながら、この構成によれば、第２の検出手段が載置された原稿のサイズを検出し、制御手段は、対応する載置位置に応じた原稿に対する処理が該検出された原稿サイズを反映させて行われるように処理手段を制御するようになっている。したがって、原稿を所望する処理が設定されている載置位置に載置するだけで、所望の処理を原稿サイズを反映させて行わせることができる。
【００３５】
本発明に係る画像読取装置は、上記構成加えて、上記載置位置毎に設定された処理が、読み取り画像の画像データの出力サイズに関わる処理であり、上記制御手段が、対応する載置位置に応じた原稿に対する処理を施した後の画像データの出力サイズが、該処理と原稿のサイズとで決定される大きさとなるように上記処理手段を制御する構成とすることもできる。
【００３６】
この構成によれば、載置位置毎に設定された処理が、読み取り画像の画像データの出力サイズに関わる処理、例えば、変倍処理であった場合、制御手段が、上記処理手段を制御して、対応する載置位置に応じた原稿に対する処理を施した後の画像データの出力サイズが該処理と原稿のサイズとで決定される大きさとするので、最終的に出力データサイズを操作パネル等を用いて設定しなくても自動的に設定され便利である。
【００３７】
本発明に係る画像読取装置は、上記構成加えて、上記制御手段による上記載置位置に応じた処理が施されるように上記処理手段を制御する制御動作を無効にする設定解除手段を備えている構成とすることもできる。
【００３８】
この構成によれば、設定解除手段が制御手段による上記載置位置に応じた処理が施されるように上記処理手段を制御する制御動作を無効にするので、例えば、原稿の一部分を変倍処理して出力させる場合等、載置位置に応じた自動設定を解除して手動による設定を可能にすることで、特殊の用途にも対応することができる。
【００３９】
本発明に係る読取機能付き画像形成装置は、上記課題を解決するために、本発明の上記画像読取装置と、該画像読取装置より出力される画像データに基づいて画像をシート上に出力する画像形成手段とを備えたことを特徴としている。
【００４０】
本発明に係る読取機能付き画像形成装置は、上記課題を解決するために、本発明の上記画像読取装置と、該画像読取装置より出力される画像データに基づいて画像をシート上に出力する画像形成手段とを備え、載置位置毎に上記画像形成手段が画像に施す処理も設定可能であり、上記制御手段は、対応する載置位置に応じた処理が施されるように上記画像形成手段を制御することを特徴としている。
【００４１】
載置位置毎に設定する処理としては、複写機等の読取機能付き画像形成装置の場合、記録シートの種類（薄紙，厚紙，裏紙，ＯＨＰ，特殊紙，ユーザ設定紙）に応じた処理や、枚数（常に決められた枚数にて画像形成を行う場合等に便利）或いは部数、その他、後処理（ステープル，パンチ，等）等の処理がある。
【００４２】
したがって、本発明の画像読取装置を読取機能付き画像形成装置に具備させることで、原稿を所望の処理が設定されている載置位置に載置するだけで、操作パネル等を用いた具体的な条件入力操作等を行うことなく所望の処理を行わせることができるといった作用を、読取機能付き画像形成装置においても得ることができる。
【００４３】
本発明に係る読取機能付き画像形成装置は、上記構成加えて、上記載置位置毎に異なるサイズのシートへの画像出力が設定されており、上記制御手段が、対応する載置位置に応じたサイズのシートに画像が形成されるように、画像形成手段を制御する構成とすることもできる。
【００４４】
この構成によれば、異なるサイズのシートへの画像出力が設定されており、制御手段が、対応する載置位置に応じたサイズのシートに画像が形成されるように、画像形成手段を制御するので、ユーザは所望するシートサイズが設定されている載置位置に原稿を載置することで、操作パネル等を用いてシートサイズを設定することなく、所望のサイズのシートに画像を出力させることができる。
【００４５】
本発明に係る読取機能付き画像形成装置は、第２の検出手段を備え、載置位置毎に設定された処理が、読み取り画像の画像データの出力サイズに関わる処理であり、対応する載置位置に応じた原稿に対する処理を施した後の画像データの出力サイズが、該処理と原稿のサイズとで決定される大きさとなるように、制御手段が処理手段を制御する画像読取装置と、該画像読取装置より出力される画像データに基づいて画像をシート上に出力する画像形成手段とを備え、上記制御手段が、さらに、画像を出力するシートとして、処理後の画像データのサイズに適したサイズのシートが選択されるように、画像形成手段を制御する構成とすることもできる。
【００４６】
この構成によれば、載置位置毎に設定された処理が、読み取り画像の画像データの出力サイズに関わる処理、例えば、変倍処理であった場合、制御手段が、上記処理手段を制御して、対応する載置位置に応じた原稿に対する処理を施した後の画像データの出力サイズが該処理と原稿のサイズとで決定される大きさとすると共に、該サイズのシートを画像を出力するシートとして選択するので、シートサイズを操作パネル等を用いて設定しなくても自動的に適切なサイズのシートに出力されるので、便利である。
【発明の効果】
【００４７】
本発明に係る画像読取装置は、以上のように、原稿の画像を読み取る読取手段と、該読取手段にて読み取られた画像に対して種々の処理を施す処理手段とを備えた画像読取装置において、上記読取手段にて読み取らせるべき原稿を載置する載置位置が複数箇所設けられると共に、載置位置毎に上記処理手段が画像に施す処理が設定されており、上記読取手段にて読み取られた画像に対して、載置位置に応じた処理が施されるように上記処理手段を制御する制御手段を備えたことを特徴としている。
【００４８】
したがって、ユーザは、所望する処理が設定されている載置位置に原稿を載置し、原稿を載置した載置位置を制御手段に判別させるだけで、具体的な処理の設定を一切行うことなく、所望の処理を行わせることが可能となる。
【００４９】
これにより、変倍率の設定等、所望する処理を原稿に対して行わせるために必要とされる、操作部を用いての条件入力操作を削減して、容易な操作にて所望の処理を行わせることのできる画像読取装置を実現することができるという効果を奏する。
【００５０】
本発明に係る読取機能付き画像形成装置は、上記課題を解決するために、本発明の上記画像読取装置と、該画像読取装置より出力される画像データに基づいて画像をシート上に出力する画像形成手段とを備えたことを特徴としている。
【００５１】
本発明に係る読取機能付き画像形成装置は、上記課題を解決するために、本発明の上記画像読取装置と、該画像読取装置より出力される画像データに基づいて画像をシート上に出力する画像形成手段とを備え、載置位置毎に上記画像形成手段が画像に施す処理も設定可能であり、上記制御手段は、対応する載置位置に応じた処理が施されるように上記画像形成手段を制御することを特徴としている。
【００５２】
これにより、本発明の画像読取装置を読取機能付き画像形成装置に具備させることで、原稿を所望の処理が設定されている載置位置に載置するだけで、操作パネル等を用いた具体的な条件入力操作等を行うことなく所望の処理を行わせることができるといった作用を、読取機能付き画像形成装置においても得ることができるという効果を奏する。
【発明を実施するための最良の形態】
【００５３】
本発明の実施の一形態について図１ないし図９に基づいて説明すれば、以下のとおりである。
【００５４】
図２に、本実施の形態である読取機能付き画像形成装置としてのデジタル複写機１（の概略構成を示す。本デジタル複写機１は、画像読取部１０と、画像形成部２０と、操作パネル３０と、後処理部２６０とを備えている。
【００５５】
画像読取部１０は、自動原稿搬送装置１１２、原稿台１１０、第１の走査ユニット１２０、第２の走査ユニット１２１、光学レンズ１２２、及び光電変換素子であるＣＣＤラインセンサ１２３を備えている。これら第１及び第２の走査ユニット１２０・１２１、光学レンズ１２２、及びＣＣＤラインセンサ１２３にて読取手段が構成されている。また、図２には示していないが、画像読取部１０は、後述する、第１検出器１３１、第２検出器１３２、第３検出器１３３、及び第４検出器１３３（図５参照）よりなる原稿検出部（第１検出手段、第２検出手段）１３０も備えている。
【００５６】
原稿台１１０は、画像読取部１０の上面に配設されており、図１に示すように、下から原稿に光を当ててその反射光を正確に読み取ることができるよう一様に無色透明な原稿台ガラス１１１と、それを支える原稿台枠１１５とから構成されている。原稿台枠１１５には、ユーザが原稿台ガラス１１１上に原稿を載置する際の基準となる載置基準マークＭを有するが基準部材１１６が設けられている。なお、原稿検出部１３０を構成する後述する第１検出器１３１、第２検出器１３２、第３検出器１３３、及び第４検出器１３４は、原稿台ガラス１１１の下方に配置されている。
【００５７】
第１の走査ユニット１２０は、図２に示すように、露光ランプユニット及び第１ミラーを備え、第２の走査ユニット１２１は、第２ミラー及び第３ミラーを備えている。露光ランプユニットは、原稿台ガラス１１１の面を露光するもので、原稿台ガラス１１１の面に光が当たることにより得られる反射光は、第１〜第３ミラーにて導かれて光学レンズ１２２に入射される。光学レンズ１２２は、入射した反射光をＣＣＤラインセンサ１２３上に結像させる。
【００５８】
原稿台１１０の上方には、自動原稿搬送装置１１２が設けられている。自動原稿搬送装置１１２は、原稿セットトレイ１１４に載置された原稿を１枚ずつ自動的に原稿台１１０上へ送るものである。自動原稿搬送装置１１２は、画像読取部１０の上面の一端に開閉自在に取り付けられており、その底面が原稿カバーとしての機能を有している。自動原稿搬送装置１１２は、原稿台１１０が備えられている原稿台ガラス１１１の面より広い大きさの底面で原稿台ガラス１１１上に載置された原稿を押さえると共に、原稿への外部からの光の照射を防止する。
【００５９】
また、上記画像読取部１０は、自動原稿搬送装置１１２との関連した動作により、自動原稿搬送装置１１２にて自動搬送される原稿の画像を、原稿台ガラス１１１上における所定の露光位置にて読み取るようにもなっている。
【００６０】
画像形成部（画像形成手段）２０は、画像読取部１０の下方に設置されている。画像形成部２０は、制御部２１０、レーザ書込ユニット２２７、感光体ドラム２２２を中心とした画像プロセス部２３０、定着ユニット２１７、給紙部２４０、及びスイッチバック路２２１を備えている。
【００６１】
制御部２１０は、詳細には後述するが、本デジタル複写機１における制御中枢であって、画像形成部２０の各部を始めとして、画像読取部１０、操作パネル３０、及び後処理部２６０の各部を制御するものである。
【００６２】
レーザ書込ユニット２２７は、半導体レーザ光源、ポリゴンミラー、及びｆ−θレンズなどから構成されている。半導体レーザ光源は、メモリ２２８から読出された画像データ、または本デジタル複写機１に接続された外部の装置から転送されてきた画像データに応じてレーザ光を出射し、ポリゴンミラーは出射されたレーザ光を等角速度で偏向させ、ｆ−θレンズは等角速度で偏向されたレーザ光をさらに感光体ドラム２２２上において等速度で偏向されるように補正する。なお、ここでは、書き込みを行う装置としてレーザ書込ユニット２２７を用いているが、ＬＥＤやＥＬ等の発光素子アレイを用いた固体走査型の光書込ヘッドユニットを用いてもよい。このような方法を用いて、レーザ書込ユニット２２７により感光体ドラム２２２表面上に静電潜像が形成される。
【００６３】
画像プロセス部２３０は、感光体ドラム２２２と、感光体ドラム２２２の周囲に、感光体ドラム２２２を所定の電位に帯電させる帯電器２２３、感光体ドラム２２２上に形成された静電潜像にトナーを供給して顕像化する現像器２２４、感光体ドラム２２２表面に形成されたトナー像を記録紙に転写する転写器（転写チャージャ等）２２５、余分なトナーを回収するクリーニング器２２６、除電器（除電チャージャ等）２２９を備えている。
【００６４】
定着ユニット２１７は、画像プロセス部２３０より送出される用紙に定着処理を施して、転写された画像を用紙に定着させるものである。給紙部２４０は、手差しトレイ２５４と、両面ユニット２５５、用紙トレイ２５１、多段給紙部２７０、及び搬送機構部２５０を備えている。多段給紙部２７０は給紙トレイ２５２と給紙トレイ２５３とを備えている。搬送機構部２５０は、用紙トレイ２５１、給紙トレイ２５２、給紙トレイ２５３、及び手差しトレイ２５４から給紙された用紙を、画像プロセス部２３０における転写器２２５へと搬送する。
【００６５】
両面ユニット２５５は、用紙の裏面に再度画像を形成するために用紙の前後を反転させるスイッチバック路２２１に通じており、用紙の両面に画像形成を行う時に用いられる。なお両面ユニット２５５を、用紙の片面のみに画像形成を行うための用紙カセットに交換することも可能となっている。後処理部２６０は、画像形成部２０の用紙排出側に設置されており、画像が形成された用紙に対してステープル処理等を行うものであり、昇降トレイ２６１を備えている。
【００６６】
このような構成のデジタル複写機１においては、原稿台１１０の原稿台ガラス１１１上に原稿が載置され、スタートキー３２５が押されると、制御部２１０の動作制御の下、画像読取部１０の第１の走査ユニット１２０が主走査方向に光走査しながら副走査方向への移動を開始する。走査光の反射光である原稿台ガラス１１１からの反射光は、副走査方向に移動する第２の走査ユニット１２１を介して光学レンズ１２２に入り、ＣＣＤラインセンサ１２３上に結像される。ここで、第２の走査ユニット１２１の副走査方向への移動速度は、第１の走査ユニット１２０の半分に設定されている。また、第１の走査ユニット１２０及び第２の走査ユニット１２１の副走査方向の移動速度は、変倍率によって異なり、拡大コピー時は等倍コピーよりも遅く、縮小コピー時は等倍コピー時より速くなる。
【００６７】
画像読取部１０にて読み取られた原稿の画像は、画像データとして後述する画像データ入力部３００を介して画像処理部３０１に送られ、必要な画像処理が施された後、一旦メモリ３０２に記憶され（図４参照）、その後、制御部２１０の指示するタイミングでレーザ書込ユニット２２７に転送される。レーザ書込ユニット２２７は、周知の画像形成プロセスにて、画像プロセス部２３０の感光体ドラム２２２表面上に画像データに基づく静電潜像を形成し、該静電潜像が、現像されてトナー像となり、該トナー像が、給紙部２４０から搬送機構部２５０を通じて給紙された用紙に転写される。トナー像が転写された用紙は、定着ユニット２１７に送られ、定着処理が施された後、後処理部２６０にて必要に応じて後処理が施された後排出される。
【００６８】
図３は、上記デジタル複写機１における操作パネル３０を表したものである。この操作パネル３０の中央部には、タッチパネル式表示部３１０が配置されており、右部分には右側キー群３２０が、左部分には左側キー群３３０がそれぞれ配置されている。これら右側キー群３２０と左側キー群３３０とで後述するキー部３４０が構成されている（図４参照）。
【００６９】
タッチパネル式表示部３１０には、現在のデジタル複写機１の動作状態や、各種設定値といった種々の情報を表示する画面であり、操作のガイダンスや警告等を表示することができる。また、タッチパネル式表示部３１０は、その画面を指で直接押圧することで操作が可能であり、変倍コピー時の変倍率や、コピー画像を出力する記録シートのサイズ、コピー濃度等の各種の条件を画面操作で設定することができる。
【００７０】
右側キー群３２０は、テンキー３２１、割り込みキー３２２、クリアキー３２３、全解除キー３２４およびスタートキー（プリント開始キー）３２５により構成されている。テンキー３２１は、タッチパネル式表示部３１０に数値（複写枚数等）を入力するのに使用するキーであり、スタートキー３２５は複写等の動作の開始を指示するためのキーでる。クリアキー３２３はタッチパネル式表示部３１０に表示される設定値をクリアしたり、画像の読み取りや画像複写、画像形成などの動作の中断を行ったりするキーであり、全解除キー３２４は、複写条件等の設定をデフォルトに戻すためのキーであり、割り込みキー３２２は、実行中の動作を一時中断して他の動作を許容するためのキーである。
【００７１】
左側キー群３３０は、動作モードを切り換えるためのモードキー群であり、ファクスモードにするファックスキー３３１、プリンタモードとするプリンタキー３３２、コピーモードとするコピーキー３３３が配置されている。
【００７２】
図４は、上記デジタル複写機１における制御系の構成図である。画像形成部２０の制御部２１０には、転写器２２５や、現像器２２４、帯電器２２３等を含む画像プロセス部２３０を始めとして、レーザ書込ユニット２２７、定着ユニット２１７、搬送機構部２５０、給紙部２４０、操作パネル３０、後処理部２６０、画像読取部１０、画像データ入力部３００、画像処理部３０１、メモリ３０２等が接続されている。
【００７３】
制御部２１０は、レーザ書込ユニット２２７、画像プロセス部２３０、定着ユニット２１７、搬送機構部２５０、給紙部２４０、及び後処理部２６０等の各駆動を制御して、画像データに基づく画像を、所定の用紙上に形成し、必要に応じて後処理等を施して出力させる。制御部２１０は、このとき、タッチパネル式表示部３１０とキー部３４０より構成される操作パネル３０から入力されるユーザの設定した各種の条件を反映させる。
【００７４】
また、制御部２１０は、画像読取部１０、画像データ入力部３００、画像処理部３０１、及びメモリ３０２等の各駆動を制御して、画像読取部１０が読み取った画像データに対して必要な処理を施させる。画像データ入力部３００は、画像読取部１０にて上述のように読み取られた画像データに対し、画像読取部１０の個体差における画像データの違いを取り除くなどの処理を施すものである。画像処理部３０１は、画像データ入力部３００より転送されてきた画像データに対して、必要に応じて、フィルタ処理、回転処理、変倍処理、階調変換処理等の各種の画像処理を行うものである。画像処理が施された画像データはメモリ３０２に一旦格納された後、制御部２１０の指示するタイミングでレーザ書込ユニット２２７に転送される。
【００７５】
なお、図４では図示していないが、画像データの圧縮や、続く後段の回路が扱うことができるデータプロトコルに変換するといった加工を行うデータ変換器が制御部２１０に接続されている構成としてもよい。データ変換器を具備させることで、ハードディスクドライブ（ＨＤＤ）に保存したり、接続されるファクシミリ回路を介して、その先の電話回線に画像データを送ることでファクシミリも伝送できる。同様にコンピュータネットワークカードを通じて、コンピュータネットワークに画像データを伝送することなどもできる。
【００７６】
そして、本デジタル複写機１では、上記制御部２１０が本発明における制御手段、処理可変手段、設定解除手段であり、画像処理部３０１及びメモリ３０２等にて、読取手段にて読み取られた画像に対して種々の処理を施す処理手段が主に構成されている。
【００７７】
以下、本実施の形態のデジタル複写機１の注目すべき構成について説明する。
【００７８】
通常、デジタル複写機１のような複写機において変倍率の設定は、プリセットされている倍率選択と、ズームによる選択の２種類の設定方法とがある。プリセットされている倍率で拡大倍率は、Ｂ５→Ａ４，Ｂ４→Ａ３が１１５％で、Ａ５→Ｂ５，Ａ４→Ｂ４が１２２％、Ｂ５→Ｂ４，Ａ４→Ａ３が１４４％であり、またプリセットされている縮小倍率は、Ａ４→Ｂ５，Ａ３→Ｂ４が８６％で、Ｂ５→Ａ５，Ｂ４→Ａ４が８１％、Ｂ４→Ｂ５，Ａ３→Ａ４が７０％である。
【００７９】
従来装置では、これらプリセットされている倍率選択は、ユーザが操作パネルのタッチパネル式表示部等を操作することで選択できるようになっているが、本デジタル複写機１では、これらの変倍率の何れかを原稿台１１０の複数ある載置基準に対してそれぞれ任意に選択設定できるようになっている。
【００８０】
図１は、デジタル複写機１における原稿台１１０と操作パネル３０とが設けられている上面図（自動原稿搬送装置１１２は開状態である）。該図１に示すように、本デジタル複写機１の原稿台１１０においては、原稿を載置する際の基準となる載置基準が複数所設けられている。具体的には、左上コーナ部の第１載置基準Ｍ１、左下コーナ部の第２載置基準Ｍ２、右下コーナ部の第３載置基準Ｍ３、及び右上コーナ部の第４載置基準Ｍ４の計４箇所設けられている。原稿台枠１１５に設けられた、載置基準マークＭを有する基準部材１１６も、これら４箇所の載置基準Ｍ１〜Ｍ４に対応して設けられている。
【００８１】
そして、本デジタル複写機１では、各載置基準Ｍに応じて画像の変倍率がユーザにて選択され設定されている。例えば、ここでは、第１載置基準Ｍ１で載置された原稿に対しては等倍処理が施され、第２載置基準Ｍ２で載置された原稿に対しては１２２％の拡大処理が施される。また、第３載置基準Ｍ３で載置された原稿に対して８６％の縮小処理が施され、第４載置基準Ｍ４で載置された原稿に対しては８１％の縮小処理が施されるようになっている。
【００８２】
また、これら第１〜第４の載置基準Ｍの近傍には、各載置基準Ｍに設定されている変倍率を示す目印シールが貼り付けられており、ユーザはこの目印シールを確認することで、間違うことなく所望する変倍率が実施される載置基準Ｍに原稿を載置することが可能となる。この他、操作パネル３０におけるタッチパネル式表示部３１０に、各載置基準Ｍに設定されている変倍率が、メーセージや図形を用いた模式図等で表示されるようにしてもよい。
【００８３】
したがって、本デジタル複写機１では、ユーザは、少なくとも上記４つの変倍率（等倍、１２２％、８１％、８６％）に対しては、原稿を載置する際に、第１〜第４の載置基準Ｍ１〜Ｍ４の何れか、所望する変倍率が設定されている載置基準Ｍにて原稿を載置することで、操作パネル３０を用いた変倍率の選択設定を行うことなく、所望のコピーを得ることができる。
【００８４】
図５に、このような構成を実現する、画像読取部１０の電気的な構成を示す。画像読取部１０は、電気的には、自動原稿搬送装置１１２、ＣＣＤラインセンサ１２３、光源１２４、光源ユニット検出器１２５、走査モータ１２６、及び原稿検出部１３０を備えている。光源１２４は、走査ユニット１２０における露光ランプユニットに備えられた露光のための光を出力するものである。光源ユニット検出器１２５は、走査ユニット１２０の副走査方向の移動位置を検出するものである。また、走査モータ１２６は、第１及び第２の走査ユニット１２０・１２１を副走査方向に移動させるためのものである。原稿検出部１３０は、原稿台１１０上に載置された原稿の有無を、上記した第１〜第４の４つの載置基準Ｍ１〜Ｍ４に対応つけて検出するものであり、ここでは第１〜第４の検出器１３１〜１３４からなる。
【００８５】
第１〜第４の検出器１３１〜１３４は、図６に示すように、第１〜第４の載置基準Ｍ１〜Ｍ４に対応して設けられており、何れも、主走査方向の原稿端部位置を検出する主走査方向検出センサと、副走査方向の原稿端部位置を検出する副走査方向検出センサよりなる。
【００８６】
例えば、第１検出器１３１は、第１載置基準Ｍ１に対応して設けられ、主走査方向検出センサ１３１ａと副走査方向検出センサ１３１ｂより構成されている。主走査方向検出センサ１３１ａと副走査方向検出センサ１３１ｂとは、何れも多光点センサよりなる。多光点センサは、対象物に対して複数の光ビームを照射し、照射ポイントごとの反射光を受光し、それら光量を検出するものである。
【００８７】
主走査方向検出センサ１３１ａを例にあげて説明すると、図７に示すように、主走査方向検出センサ１３１ａは、対応する第１載置基準Ｍ１から主走査方向に予め定められた距離離間した複数のポイントＰ１〜Ｐ３において、光ビームを照射してその反射光の光量を測定する。ポイントＰ１〜Ｐ３は、載置可能な原稿の各サイズに応じて決められている。図のように、ポイントＰ２とポイントＰ１との間に原稿端が位置している場合、ポイントＰ２・Ｐ３では原稿にて光ビームが反射されるが、ポイントＰ１では原稿が無いために光ビームが反射されず、その反射光は検出されない。したがって、制御部２１０は、各ポイントＰ１〜Ｐ３からの反射光の光量を検出することで、主走査方向の原稿の端部位置を確認できる。
【００８８】
副走査方向検出センサ１３１ｂもこれと同様であり、第１載置基準Ｍ１から副走査方向に予め定められた距離離間した複数のポイントからの反射光の光量を検出することで、制御部２１０は、副走査方向の原稿の端部位置を確認するようになっている。副走査方向の各ポイントも、載置可能な原稿の各サイズに応じて決められている。
【００８９】
このようにして、第１載置基準Ｍ１で原稿が載置された場合、主走査方向検出センサ１３１ａの検出と、副走査方向検出センサ１３１ｂの検出にて、制御部２１０は、原稿が第１載置基準Ｍ１で載置されていることに加えて、載置された原稿の端部位置を確認してサイズをも検出することができる。
【００９０】
同様にして、第２検出器１３２は、主走査方向検出センサ１３２ａと副走査方向検出センサ１３２ｂより構成されており、制御部２１０は、第２検出器１３２の検出信号に基づいて、第２載置基準Ｍ２で載置された原稿の有無と共に、載置された原稿の大きさを検出するようになっている。
【００９１】
同様にして、第３検出器１３３は、主走査方向検出センサ１３３ａと副走査方向検出センサ１３３ｂより構成されており、制御部２１０は、第３検出器１３３の検出信号に基づいて、第３載置基準Ｍ３で載置された原稿の有無と共に、載置された原稿の大きさを検出するようになっている。
【００９２】
同様にして、第４検出器１３４は、主走査方向検出センサ１３４ａと副走査方向検出センサ１３４ｂより構成されており、制御部２１０は、第４検出器１３４の検出信号に基づいて、第４載置基準Ｍ４で載置された原稿の有無と共に、載置された原稿の大きさを検出するようになっている。
【００９３】
制御部２１０は、これら第１〜第４の検出器１３１〜１３４の検出信号より、原稿が載置さている載置基準Ｍが第１〜第４の載置基準Ｍ１〜Ｍ４の何れであるかを判別し、第１載置基準Ｍ１で載置された原稿に対しては等倍処理が、第２載置基準Ｍ２で載置された原稿に対しては１２２％の拡大処理が、第３載置基準Ｍ３で載置された原稿に対して８６％の縮小処理が、第４載置基準Ｍ４で載置された原稿に対しては８１％の縮小処理がそれぞれ施されるように、画像処理部３０１の画像処理動作を制御する。
【００９４】
また、制御部２１０は、第１〜第４の検出器１３１〜１３４の検出信号より得られる原稿サイズより、所望の変倍率にてよりされた画像が出力されるのに適した用紙サイズを求め、該用紙サイズの用紙が画像プロセス部２３０における転写器２２５と感光体ドラム２２２との間に搬送されるように、給紙部２４０と搬送機構部２５０を制御する。
【００９５】
なお、各ユーザによって、よく利用する変倍率は異なるので、このような載置基準Ｍと変倍倍率との関係は、本デジタル複写機１のように、ユーザが操作パネル３０を用いて、プリセットされている倍率選択の中から任意に設定することができる構成（処理可変手段）としておくことが好ましい。
【００９６】
但し、本デジタル複写機１では、第１の走査ユニット１２０及び第２の走査ユニット１２１の副走査方向の移動速度は、拡大コピー時は等倍コピーよりも遅く、縮小コピー時は等倍コピー時より速くなる。したがって、第１〜第４の載置基準Ｍ１〜Ｍ４に変倍率を割り当てるにあたっては、選択頻度の高い倍率をホームポジション側に割り当てることが望ましいことはもちろんであるが、１回あたりの読取所要時間に着目すると、副走査方向の移動速度が遅い拡大倍率や等倍率（１００％）を第１の走査ユニット１２０が副走査方向への移動を開始するホームポジション側に割り当て、副走査方向の移動速度が速い縮小倍率を、ホームポジション側とは反対側に割り当てることが好ましい。これにより、原稿の読み取りにかかる所要時間を削減して、ひいては画像形成に要する時間を短縮することができる。
【００９７】
また、第１の走査ユニットの副走査方向の移動速度を倍率に応じて全領域を一定とするのではなく、原稿検出部１３０の検知結果に基づいて、原稿の載置されていない領域を移動する場合は速度を上げ、原稿の載置されている領域を移動する場合には、各倍率に合った速度で移動させるようにしてもよい。
【００９８】
そして、より好ましくは、倍率に応じた移動速度が遅いものをホームポジション側に割り当てると共に、原稿が載置されていない領域での移動速度を上げることであり、これにより、画像読み取りの所要時間をより一層短縮することができる。
【００９９】
以上のように、本デジタル複写機１は、原稿台１１０に対して載置基準Ｍを複数設けると共に、載置基準Ｍ毎に変倍率が設定されているので、ユーザは、各載置基準Ｍに設定されている変倍率に関しては、原稿を所望する変倍率が設定されている載置基準Ｍに載置するだけで、操作パネル３０を用いて変倍率の設定を行うことなく、所望する変倍率で処理されたコピーを得ることができる。
【０１００】
しかも、ここでは、原稿検出部１３０が載置基準Ｍの何れに原稿が載置されたかを検出し、制御部２１０はこの原稿検出部１３０の検出信号に基づいて原稿が載置された載置基準Ｍを判別するので、原稿を所望する処理が設定されている載置位置に載置するだけで、所望の処理を行わせることができる。
【０１０１】
加えて、原稿サイズを検出する機能を持たない場合、拡縮した画像に合わせた用紙を選択したい場合、原稿サイズと変倍率とで決まる適切なサイズの用紙を、操作パネル３０を用いてユーザが設定する必要があるが、上記したデジタル複写機１では、原稿検出部１３０の検出信号から制御部２１０が原稿サイズまでも把握するので、制御部２１０にて原稿サイズと変倍率に合ったサイズの用紙を自動的に選択する構成とすることができ、ユーザによる操作パネル３０を用いての入力操作をさらに削減して、より一層使い勝手の易い装置となっている。
【０１０２】
なお、上記デジタル複写機１では、原稿台１１０に対して設けられた複数の載置基準Ｍに対してプリセットされている変倍率の中からユーザが任意に設定できる構成としていたが、複数の載置基準Ｍに対して設定する条件は、何も変倍率に限るものではなく、例えば、コピー画像が出力される用紙のサイズを設定するようにしてもよい。
【０１０３】
つまり、例えば図８に示すように、第１載置基準Ｍ１で載置された原稿に対しては、画像を出力する用紙としてＡ４サイズの用紙が選択され、第２載置基準Ｍ２で載置された原稿に対しては、Ａ３サイズの用紙が選択され、第３載置基準Ｍ３で載置された原稿に対しては、Ｂ４サイズの用紙が選択され、第４載置基準Ｍ４で載置された原稿に対しては、Ｂ５サイズの用紙が選択されるようにしてもよい。
【０１０４】
そして、この場合も、変倍率が設定されていた場合と同様に、これら第１〜第４の載置基準Ｍ１〜Ｍ４の近傍には、各載置基準Ｍに設定されている用紙サイズを示す目印シールを貼り付ておくことで、ユーザはこの目印シールを確認することで、間違うことなく所望するサイズの用紙が選択される載置基準Ｍに原稿を載置することが可能となる。この他、操作パネル３０におけるタッチパネル式表示部３１０に、各載置基準Ｍに設定されている用紙サイズが、メーセージや図形を用いた模式図等で表示されるようにしてもよい。
【０１０５】
このような構成とすることで、ユーザは、少なくとも上記４つの用紙サイズ（Ａ４、Ａ３、Ｂ４、Ｂ５）に対しては、原稿を載置する際に、第１〜第４の載置基準Ｍ１〜Ｍ４の何れか、所望する用紙サイズが設定されている載置基準Ｍにて原稿を載置することで、操作パネル３０を用いた用紙の選択設定を行うことなく、所望のコピーを得ることができる。
【０１０６】
しかも、上記と同様、原稿検出部１３０が載置基準Ｍの何れに原稿が載置されたかを検出し、制御部２１０はこの原稿検出部１３０の検出信号に基づいて原稿が載置された載置基準Ｍを判別するので、原稿を所望する処理が設定されている載置位置に載置するだけで、所望の処理を行わせることができる。
【０１０７】
加えて、原稿サイズを検出する機能を持たない場合、原稿サイズとは異なるサイズの用紙を所望し、かつ、用紙に合わせて画像を拡縮したい場合、原稿サイズと用紙サイズとで決まる変倍率を操作パネル３０を用いてユーザが設定する必要があるが、上記したデジタル複写機１では、原稿検出部１３０の検出信号から制御部２１０が原稿サイズまでも把握するので、制御部２１０にて原稿サイズと用紙サイズに合った変倍率を自動的に選択する構成とすることができ、ユーザによる操作パネル３０を用いての入力操作をさらに削減して、より一層使い勝手の易い装置となっている。
【０１０８】
なお、各ユーザによって、よく利用する用紙サイズは異なるので、このような載置基準Ｍと用紙サイズとの関係は、上記した変倍率の場合と同様に、ユーザが操作パネル３０を用いて、対応可能な用紙サイズの中から任意に設定することができる構成としておくことが好ましい。
【０１０９】
また、このように第１〜第４の載置基準Ｍ１〜Ｍ４に用紙サイズを割り当てるにあたっては、選択頻度の高い用紙サイズを第１の走査ユニット１２０のホームポジション側に割り当てることが望ましい。
【０１１０】
また、第１の走査ユニットの副走査方向の移動速度は、上述したように、この場合も原稿検出部１３０の検知結果に基づいて、原稿の載置されていない領域を移動する場合は速度を上げ、原稿の載置されている領域を移動する場合には、所定の速度（各倍率に合った速度）で移動させるようにしてもよい。
【０１１１】
また、複数の載置基準Ｍに対して設定する条件は、何も変倍率や用紙サイズに限るものではなく、文字原稿と写真原稿とをよく利用するユーザであれば、各載置基準Ｍに応じて原稿種別を設定するようにしてもよい。
【０１１２】
つまり、例えば図９に示すように、第１載置基準Ｍ１で載置された原稿に対しては、原稿が文字画像を中心とした文字原稿用の画像処理が施される一方、第３載置基準Ｍ３で載置された原稿に対しては、写真原稿用の画像処理が施されるようにしてもよい。
【０１１３】
文字原稿と写真原稿とでは、画像処理部３０１にて施す画像処理が異なるので、通常は文字原稿に対する画像処理がデフォルトであり、写真原稿である場合は、原稿の種別を操作パネル等を用いて設定する必要がある。しかしながら、このような構成としておくことで、制御部２１０の制御の下、第１載置基準Ｍ１で載置された原稿には、一義的に文字原稿用の画像処理を画像処理部３０１が実施し、第３載置基準Ｍ１で載置された原稿には、一義的に写真原稿用の画像処理を画像処理部３０１が実施する。
【０１１４】
したがって、ユーザは、少なくとも上記２つの原稿種別（文字原稿、写真原稿）に対しては、原稿を載置する際に、第１或いは第３の載置基準Ｍ１・Ｍ３の何れか、載置する原稿の種別に見合う載置基準Ｍに原稿を載置することで、原稿種別に適した画像処理を選択して、原稿に忠実なコピーを得ることができる。
【０１１５】
そして、この場合も、変倍率が設定されていた場合と同様に、これら第１、第３の載置基準Ｍ１・Ｍ３の近傍には、各載置基準Ｍに設定されている原稿種別を示す目印シールを貼り付ておくことで、ユーザはこの目印シールを確認することで、間違うことなく原稿を適切な画像処理が施される載置基準Ｍに載置することが可能となる。この他、操作パネル３０におけるタッチパネル式表示部３１０に、各載置基準Ｍに設定されている原稿種別が、メーセージや図形を用いた模式図等で表示されるようにしてもよい。
【０１１６】
一般的に、写真原稿は文字原稿と比較して、画像データとして処理されるデータ数が多いと共に、施される画像処理数も多く画像処理時間がかかり、画像形成のために要する時間が長くなる。したがって、文字原稿と写真原稿とであれば、もともと所要時間の長い写真原稿を、第１の走査ユニット１２０のホームポジション側とは反対側に割り当て、所要時間の短い文字原稿を第１の走査ユニット１２０のホームポジション側に割り当てることが好ましい。
【０１１７】
また、ここでは原稿の種別として、文字原稿と写真原稿とを例示したが、複数の載置基準Ｍ１〜Ｍ４に割り当てる原稿種別としては、網点原稿や、文字と写真原稿との混在する原稿など、予め設定されている原稿種別に応じた処理の中から、ユーザが操作パネル３０を用いて選択設定しえる構成としておくことが好ましい。
【０１１８】
さらに、この他、複数の載置基準Ｍに対して設定する条件としては、画像濃度や、用紙の種類（薄紙、厚紙、既に片面に印刷されている紙、ＯＨＰシート、ユーザに特別に設定する紙等）、ＦＡＸの送信先、コピー枚数（常に決められた枚数にて画像形成を行う場合等に便利）或いは部数、後処理の種類（ステープル、パンチ等）、ウォータマークの種類（付加なし、極秘、見本、ロゴ等）、編集の種類（マルチショット、画像反転、ネガポジ反転等）等、ユーザが操作パネル３０を用いて設定する必要のあらゆる条件が考えられ、より好ましくは、このようなユーザが操作パネル３０を用いて選択する必要のある条件から、各ユーザが自身の使い方に応じて適宜して割り当てが行えるようにしておくことである。
【０１１９】
このように、原稿台１１０における載置基準Ｍを複数とし、載置基準Ｍ毎に所定の条件を設定しておくことで、いわば従来１つであったデフォルトが、載置基準Ｍの数だけあるようなものであり、複数の載置基準Ｍに割り当てる条件を適切に設定することで、ユーザにとっては、スタートキー３２５を押すだけで所望のコピーを得ることができる機会が増え、使い勝っての良い装置となる。
【０１２０】
また、オートクリア機能が搭載されていても、載置基準Ｍに割り当てられた機能はあくまでデフォルトであるので、オートクリアが実行されることはなく、変倍率や用紙サイズをデフォルトから変更してコピーを行っていた場合によく発生していたオートクリアによるミスコピーの問題も解決することができる。
【０１２１】
なお、このような複数の載置基準Ｍに応じた条件の設定は、設定する条件の内容はもちろんのこと、このような複数の載置基準Ｍに応じた条件の設定を有効にするモードと、無効にするモードとを設けておくことが好ましい。
【０１２２】
また、ここでは、原稿台１１０の載置基準Ｍとして、原稿台１１０の４つのコーナ部を例示したが、本デジタル複写機１では、画像読取部１０に自動原稿搬送装置１１２が搭載されているので、このような自動原稿搬送装置１１２を具備する構成においては、該自動原稿搬送装置１１２を利用する場合にも１つの条件をデフォルトとして割り当ててもよい。
【０１２３】
例えば、自動原稿搬送装置１１２は原稿セットトレイ１１４に載置された原稿を１枚ずつ自動的に原稿台１１０上へ送るものであるので、例えば自動原稿搬送装置１１２をもちいての原稿搬送は、全てＡ４サイズにコピーするなどの設定を行っておくことで、セットされた原稿がＡ４とＢ５とが混在していたとしても、全てＡ４サイズに揃ったコピーを得ることができる。
【０１２４】
また、原稿台の１つ載置基準Ｍに合わせて載置された原稿サイズが、他の載置基準Ｍに近接すると判断された場合、つまり、他の載置基準Ｍに対応する副走査方向検出センサ或いは主走査方向検出センサの何れか一方で最大サイズが検出された場合であって、かつ、該当する載置基準Ｍに割り当てられている設定が拡大倍率である場合（例えば、等倍処理の原稿の最大サイズをＡ３である場合に、Ａ３の原稿が１２２％拡大の載置基準Ｍ２に載置された場合）は、設定通りの拡大処理を行うと画像データのサイズ（対応する用紙のサイズ上）、画像が欠落する部分が生じる。したがって、このような場合は、載置基準Ｍに応じた倍率の自動設定を中止し、操作パネル３０のタッチパネル式表示部３１０に警告表示を行い、変倍率を制御部２１０が適当なものに変更して変倍読み取りを行うようにすることが好ましい。なお、等倍、縮小に設定されている場合には、問題ないので、載置基準Ｍに応じた変倍率で処理すればよい。
【０１２５】
なお、上記した実施の形態では、読取機能付き画像形成装置としてのデジタル複写機１を例示したため、原稿よりそのコピーを得ることを中心に説明した。しかしながら、画像読取装置として単独で機能する装置においても、デジタル複写機１と同様、原稿台の載置基準を複数とし、これに変倍率等や、画像データサイズ（用紙サイズに相当）等の各種処理条件等、ユーザが操作パネルを用いて行っていた条件設定を割り当てるように構成することができる。
【産業上の利用可能性】
【０１２６】
本発明は、スキャナなどの原稿の画像を読み取る画像読取装置を始め、複写機や、複写機としての機能に加えて、ＦＡＸ機能とプリンタ機能と具備したデジタル複合機等の読取機能付き画像形成装置にも適用できる。
【図面の簡単な説明】
【０１２７】
【図１】本発明の実施の一形態を示すもので、原稿台に設けられた複数の載置基準と、各載置基準に応じて処理が設定されている状態を示すデジタル複写機の上面部（自動原稿搬送装置を除く）の平面図である。
【図２】上記デジタル複写機の構成を示す正面断面図である。
【図３】上記デジタル複写機における操作パネルの構成を示す概略図である。
【図４】上記デジタル複写機における制御系の構成を示すブロック図である。
【図５】上記デジタル複写機に備えられた画像読取部の電気的構成を示すブロック図である。
【図６】上記デジタル複写機の画像読取部に搭載された原稿検出部を構成する各検出器の配置を示す説明図である。
【図７】図６に示す原稿検出部を構成する検出器である多光点センサの検出動作を示す説明図である。
【図８】本発明の実施の一形態を示すもので、原稿台に設けられた複数の載置基準と、各載置基準に応じて別の処理が設定されている状態を示すデジタル複写機の上面部（自動原稿搬送装置を除く）の平面図である。
【図９】本発明の実施の一形態を示すもので、原稿台に設けられた複数の載置基準と、各載置基準に応じてさらに別の処理が設定されている状態を示すデジタル複写機の上面部（自動原稿搬送装置を除く）の平面図である。
【符号の説明】
【０１２８】
１      デジタル複写機（読取機能付き画像形成装置）
１０      画像読取部（画像読取装置）
２０      画像形成部（画像形成手段）
３０      操作パネル
１１０    原稿台
１３０    原稿検出手段（第１検出手段、第２検出手段）
１３１    第１検出器
１３２    第２検出器
１３３    第３検出器
１３４    第４検出器
２１０    制御部（制御手段）
３０１    画像処理部（処理手段）
３０２    メモリ（処理手段）
Ｍ１    第１載置基準
Ｍ２    第２載置基準
Ｍ３    第３載置基準
Ｍ４    第４載置基準
【図１】
2005277590.tif 000003
【図２】
2005277590.tif 000004
【図３】
2005277590.tif 000005
【図４】
2005277590.tif 000006
【図５】
2005277590.tif 000007
【図６】
2005277590.tif 000008
【図７】
2005277590.tif 000009
【図８】
2005277590.tif 000010
【図９】
2005277590.tif 000011